(57)【要約】【課題】発熱したことを視覚的に認識させることが可能な電気コードを得る。【解決手段】電気コード１の導電体１ａの被覆層１ｂを、熱に応じて透明となる感熱性の樹脂素材からなる第二の被覆層１ｃで被覆したことを特徴とする。【選択図】図２
2007317561.tif 000002
【特許請求の範囲】
【請求項１】
導電体の被覆層を、熱に応じて透明となる感熱性の樹脂素材からなる第二の被覆層で被覆したことを特徴とする電気コード。
【請求項２】
前記被覆層の外面に所定の指標を設け、当該指標を、前記第二の被覆層で被覆したことを特徴とする請求項１に記載の電気コード。
【請求項３】
導電体の被覆層の外面に所定の指標を設け、当該指標を覆うように、熱に応じて透明となる感熱インクを塗布したことを特徴とする電気コード。
【請求項４】
導電体の被覆層の外面に、熱に応じて透明となる感熱インクにより所定の指標を記したことを特徴とする電気コード。
【発明の詳細な説明】
【技術分野】
【０００１】
本発明は、電気コードに関する。
【背景技術】
【０００２】
従来、テーブルタップ等で電源コードとして用いられる電気コードは、塩化ビニル等の絶縁性を有する軟質素材からなる被覆層で被覆されている（例えば特許文献１参照）。
【特許文献１】特開平３−２５７７１８号公報
【発明の開示】
【発明が解決しようとする課題】
【０００３】
しかしながら、従来の電気コードでは、内部の導電線が損傷を受けたり過負荷が加わったりして電気コードが発熱したとしても、触らない限りそのことを認識することができなかった。
【０００４】
そこで、本発明は、発熱したことを視覚的に認識させることが可能な電気コードを得ることを目的とする。
【課題を解決するための手段】
【０００５】
請求項１の発明にあっては、電気コードにおいて、導電体の被覆層を、熱に応じて透明となる感熱性の樹脂素材からなる第二の被覆層で被覆したことを特徴とする。
【０００６】
請求項２の発明にあっては、上記電気コードにおいて、上記被覆層の外面に所定の指標を設け、当該指標を、上記第二の被覆層で被覆したことを特徴とする。
【０００７】
請求項３の発明にあっては、電気コードにおいて、導電体の被覆層の外面に所定の指標を設け、当該指標を覆うように熱に応じて透明となる感熱インクを塗布したことを特徴とする。
【０００８】
請求項４の発明にあっては、電気コードにおいて、導電体の被覆層の外面に、熱に応じて透明となる感熱インクにより所定の指標を記したことを特徴とする。
【発明の効果】
【０００９】
請求項１の発明によれば、電気コードが発熱すると被覆層の外側を覆う樹脂素材からなる第二の被覆層が透明になるため、電気コードの視覚的な変化によって発熱したことを認識させることが可能となる。
【００１０】
請求項２の発明によれば、電気コードが発熱すると被覆層の外面に記された指標が透けて見えるようになるため、当該指標によって、発熱したことを視覚的により確実に把握させることが可能となる。
【００１１】
請求項３の発明によれば、電気コードが発熱すると被覆層の外面に記された指標が透けて見えるようになるため、当該指標によって、発熱したことを視覚的に認識させることが可能となる。
【００１２】
請求項４の発明によれば、電気コードが発熱すると指標が見かけ上消失するため、発熱したことを視覚的に認識させることが可能となる。
【発明を実施するための最良の形態】
【００１３】
以下、本発明の実施形態について図面を参照しながら詳細に説明する。
【００１４】
（第１実施形態）図１は、本実施形態にかかる電気コード付きテーブルタップの概略図、図２は、電気コードの内部構造を示す斜視図であって、（ａ）は、発熱していない通常状態を示す図、（ｂ）は、発熱状態を示す図である。
【００１５】
図１に示すように、本実施形態にかかる電気コード１は、テーブルタップ２とプラグ３との間に設けられ、銅線等の導電線を柔軟性のある絶縁性樹脂によって被覆した可撓性を有するコードである。
【００１６】
図２に示すように、本実施形態にかかる電気コード１は、２本の導電線１ａ，１ａを、相互に略平行に配置して隔離した状態で、絶縁性を有しかつ柔軟性のある樹脂材料（例えば塩化ビニル等）からなる被覆層１ｂで被覆し、さらにその外側を感熱性（感温性）を有し柔軟性のある樹脂材料からなる第二の被覆層１ｃで被覆したものである。
【００１７】
さらに、本実施形態では、被覆層１ｂの外表面に指標４を設けてある。ここで、第二の被覆層１ｃは、発熱の無い通常の状態では不透明であり、何らかの原因によって発熱が生じて所定温度（例えば７０℃）以上となったときに透明となる樹脂材料からできている。この樹脂材料は、例えば塩化ビニル等の成形材料に感温染料を混入して得ることができる。また、感温染料は、温度によって発色と消色との間で可逆変化する（低温側では発色し、高温側では消色する）成分をマイクロカプセル化したもので、マイクロカプセルが水溶液中に分散したスラリータイプや、水分を除去して乾燥させたパウダータイプ等がある。
【００１８】
したがって、図２の（ａ）に示すように、通常の状態では特段の変化もなく、通常の電気コードと何ら変わらないが、異常な発熱が生じて温度が所定温度よりも高くなると第二の被覆層１ｃが透明になり、その内側の被覆層１ｂの外面に設けた指標４が視認できる状態となる。
【００１９】
指標４としては、図２に示すような文字列としてもよいし、記号や、模様、色等としてもよい。また、温度が高くなって出現したときに、注意を喚起したり、異常な状態であることを認識させたりできるようなものであるのが好適である。なお、この指標４は、温度による劣化等の少ないもの（例えば不滅インク等）によって施すのが好適である。
【００２０】
以上の本実施形態によれば、電気コード１が発熱すると被覆層１ｂの外側を覆う第二の被覆層１ｃが透明になって、通常状態と比べて視覚的な変化が生じるため、発熱したことを視覚的に認識させることが可能となる。
【００２１】
また、本実施形態によれば、被覆層１ｂの外面に指標４を設けたため、第二の被覆層１ｃが透明になった際に当該指標４を視認させることが可能となって、発熱したことを視覚的により確実に把握させることができるようになる。
【００２２】
また、絶縁被覆を二重構成とすることができる分、安全性が高まるという利点もある。
【００２３】
（第２実施形態）図３は、本実施形態にかかる電気コードの内部構造を示す斜視図であって、（ａ）は、発熱していない通常状態を示す図、（ｂ）は、発熱状態を示す図である。
【００２４】
図３に示すように、本実施形態にかかる電気コード１Ａは、２本の導電線１ａ，１ａを相互に略平行に配置して隔離した状態で、絶縁性を有しかつ柔軟性のある樹脂材料（例えば塩化ビニル等）からなる被覆層１ｂで被覆し、さらにその外側を柔軟性のある樹脂材料からなる第二の被覆層１ｃで被覆したものである。
【００２５】
ここで、本実施形態では、第二の被覆層１ｃの外表面に指標４Ａを設け、さらにその指標４Ａを覆うように、熱に応じて透明となる感熱インク５を塗布（または印刷）している。この感熱インク５は、上述した感温染料から得ることができる。一例としては、感温染料をインクに混ぜたものとして得ることができる。
【００２６】
したがって、図３の（ａ）に示すように、通常の状態では特段の変化もなく、通常の電気コードと何ら変わらないが、異常な発熱が生じて温度が所定温度よりも高くなると感熱インク５が透明になり、その内側の第二の被覆層１ｃの外面に設けた指標４Ａが視認できる状態となる。
【００２７】
以上の本実施形態によれば、電気コード１が発熱すると第二の被覆層１ｃの外面に記された指標４Ａが透けて見えるようになるため、当該指標４Ａによって、発熱したことを視覚的に認識させることが可能となる。
【００２８】
（第３実施形態）図４は、本実施形態にかかる電気コードの内部構造を示す斜視図であって、（ａ）は、発熱していない通常状態を示す図、（ｂ）は、発熱状態を示す図である。
【００２９】
図４に示すように、本実施形態にかかる電気コード１Ｂは、２本の導電線１ａ，１ａを相互に略平行に配置して隔離した状態で、絶縁性を有しかつ柔軟性のある樹脂材料（例えば塩化ビニル等）からなる被覆層１ｂで被覆し、さらにその外側を柔軟性のある樹脂材料（例えば塩化ビニル等）からなる第二の被覆層１ｃで被覆したものである。
【００３０】
ここで、本実施形態では、第二の被覆層１ｃの外表面に指標４Ｂを設けているが、この指標４Ｂを、温度が高くなると透明になる感熱インクによって形成している。この感熱インクとしては、上記第２実施形態で用いた感熱インクと同じものを用いることができる。
【００３１】
したがって、図４の（ａ）に示すように、発熱の無い通常の状態では指標４Ｂを視認できるが、図４の（ｂ）に示すように、異常な発熱が生じて温度が所定温度よりも高くなると指標４Ｂが透明になって見かけ上消失する。
【００３２】
すなわち、以上の本実施形態によれば、指標４Ｂが無くなったことによる視覚的な変化によって、異常な状態であることを提示することができる。
【００３３】
以上、本発明の好適な実施形態について説明したが、本発明は上記実施形態には限定されず、種々の変形が可能である。
【図面の簡単な説明】
【００３４】
【図１】本発明の実施形態にかかる電気コード付きテーブルタップの概略図。
【図２】本発明の第１実施形態にかかる電気コードの内部構造を示す斜視図であって、（ａ）は、発熱していない通常状態を示す図、（ｂ）は、発熱状態を示す図。
【図３】本発明の第２実施形態にかかる電気コードの内部構造を示す斜視図であって、（ａ）は、発熱していない通常状態を示す図、（ｂ）は、発熱状態を示す図。
【図４】本発明の第３実施形態にかかる電気コードの内部構造を示す斜視図であって、（ａ）は、発熱していない通常状態を示す図、（ｂ）は、発熱状態を示す図。
【符号の説明】
【００３５】
１，１Ａ，１Ｂ  電気コード
１ｂ  被覆層
１ｃ  第二の被覆層
４，４Ａ  指標
４Ｂ  指標（感熱インク）
５  感熱インク
【図１】
2007317561.tif 000003
【図２】
2007317561.tif 000004
【図３】
2007317561.tif 000005
【図４】
2007317561.tif 000006